【事件の表示】
　特願２００１−　３４８０２「インターネット・ウェブ・ブラウザのハイパーリンクを拡張する方法および媒体」拒絶査定不服審判事件〔平成１３年１０月２６日出願公開、特開２００１−２９７０４８〕について、次のとおり審決する。
【結　論】
　本件審判の請求は、成り立たない。
【理　由】
第１．手続の経緯
　本願は、平成１３年２月１３日（パリ条約による優先権主張平成１２年２月１０日、アメリカ合衆国（ＵＳ））の出願であって、平成１６年２月１３日付けの拒絶理由の通知に対して、その指定された期間内の同年６月２５日付けで意見書及び補正書が提出されたが、同年９月２４日付けで拒絶査定がなされ、これに対して、同年１２月１０日に拒絶査定に対する審判請求がなされたものである。
　
第２．本願発明について 
　
１．本願発明
　本願の請求項１に係る発明（以下、「本願発明」という。）は、平成１６年６月２５日付け手続補正書の請求項１に記載された事項により特定される、以下のとおりのものである。 
　
「【請求項１】
　ウェブ・ページ上に示されたハイパーリンクに関する履歴情報を表示するためにコンピュータを動作させる方法であって、
ａ）ウェブ・ページをダウンロードするためのユーザ命令の受信に応答して、前記ウェブ・ページのダウンロードを開始するステップと、
ｂ）前記ウェブ・ページに含まれるハイパーリンクを識別するステップと、
ｃ）各々の識別されたハイパーリンクについて、
　定義済みのアクセス・グループ内のユーザが、前記ステップｂ）で識別されたハイパーリンクにより表される基礎データを前記定義済みのアクセス・グループ内の共有データベースからダウンロードして、前記識別されたハイパーリンクを以前に選択したかどうかを判断し、
　もし、前記定義済みのアクセス・グループ内のユーザが、前記ハイパーリンクを以前に選択していれば、前記アクセス・グループ内のユーザによる前記ハイパーリンクの以前の選択から得られた前記基礎データの特性を識別するために前記共有データベースを調べ、
　前記共有データベースを調べることによって識別された特性に基づいて前記ハイパーリンクに対する拡張プレゼンテーション属性を引き出す、
　ことにより前記ハイパーリンクを分析するステップと、
ｄ）引き出された拡張プレゼンテーション属性を各々のハイパーリンクに与えて、前記ダウンロードされたウェブ・ページを表示するステップと、
　を含む、方法。」
　
２．刊行物の記載
　
　原査定の拒絶の理由に引用された特開平１０−２２２５２３号公報（平成１０年８月２１日公開。以下、「刊行物１」という。）には、図面と共に、以下の事項が記載されている。
　
【０００１】
【発明の属する技術分野】本発明は、ＷＷＷサーバーの情報を受信し、表示する情報提示装置および、ＷＷＷサーバーが格納するデータの受信および情報提示装置への転送を行う情報転送装置に関する。
【０００２】
【従来の技術】近年、インターネットの利用がさかんに行われ、ワールドワイドウェブ（ＷＷＷ）上の各サイトに格納されている情報（ホームページ）の有効利用が図られている。
【０００３】これらのホームページは、主にＨＴＭＬ（Ｈｙｐｅｒ  Ｔｅｘｔ  Ｍａｒｋｕｐ  Ｌａｎｇｕａｇｅ）と呼ばれる言語で書かれ、ＨＴＭＬはハイパーテキスト形式をとり、ＨＴＭＬで書かれたある文書から他のＨＴＭＬ文書に対してリンクを張ることができる。これにより、文書を本のように順番に読み進むのではなく、文書から文書を自由に飛び回りながら、興味のある話題を拾い読みしていくことができる。なお、ＨＴＭＬについては、『ＨＴＭＬ入門  ＷＷＷページの作成と公開』（株式会社プレンティスホール出版発行）に詳しく記述されている。
　　
【０００５】インターネットブラウザなどが、このホームページのようなハイパーテキストを画面上に表示するとき、ハイパーテキストに含まれるハイパーリンクを示す文字列は、ハイパーリンク以外のテキストとは異なる色で、下線付きで表示されることが多い。ユーザは、表示されたハイパーテキストを見て、このような特別な表示形態を持つ文字列から、他のページにリンクが張られていることを知る。また、この文字列からリンクが張られているページに、すでに移動したことがある場合には、ハイパーリンクを示す色とは異なる色で表示される。このようなハイパーテキスト表示の技術として、例えばネットスケープ社のネットスケープナビゲータや、マイクロソフト社のインターネットエクスプローラーがある。
【０００６】また、ネットワークに対する不当なアクセスを防ぐために、プロクシサーバーとよばれる代理のサーバーを用いることがある。これは、大多数のクライアントを内部ネットワークにつなげ、そのうち１台のだけをＷＷＷの広域なネットワークと実際にやり取りを行えるようにすることである。内部ネットワークのＷＷＷブラウザからの要求を、この一つの計算機が代理となって、外部の広域なネットワークに対してデータの要求、受信などを行う。
　
【００１０】
【課題を解決するための手段】この課題を解決するために本発明は、ユーザからのハイパーリンクの指定操作の処理を行うユーザ入力処理手段と、前記ユーザ入力処理手段で指定されたハイパーテキストデータを取得するハイパーテキストデータ取得手段と、前記ハイパーテキストデータ取得手段により取得されたハイパーテキストデータを解釈するハイパーテキストデータ解釈手段と、前記ハイパーテキスト解釈手段により解釈されたハイパーテキストに含まれるハイパーリンクのリンク先のデータの属性を取得するリンク先属性取得手段と、前記ハイパーテキスト解釈手段により解釈されたハイパーテキストから表示内容を生成し、その際に前記リンク先属性取得手段で取得されたリンク先のデータの属性によりそのハイパーリンクの表示形態を変える表示内容生成手段と、前記表示内容生成手段により生成された表示内容を表示する表示手段とを具備することとしている。そして、リンク先属性取得手段が、リンク先のデータの属性を取得し、そのデータの属性によりハイパーリンクの表示形態を変えるので、ユーザにハイパーリンクのリンク先の属性を明示的に知らせることが可能となる。
　
【０１１０】図１９は、図１８のステップＳ１００２の処理を詳しく説明するフローチャートである。
【０１１１】データ受信部１０２は、ユーザ入力処理部１０１から出力されたＵＲＬを、ＵＲＬ記憶バッファ１２１に記憶し、タイマー１２２を０にセットする（ステップＳ１１０１）。
【０１１２】データ受信部１０２は、前記ＵＲＬで識別されるサーバーに対して、そのＵＲＬが示すハイパーテキストデータを要求し、受信する（ステップＳ１１０２）。
　
【０１３４】図２２は、図２１のステップＳ１３１０におけるハイパーテキスト解釈部１０５の処理手順の一例を示すフローチャートである。
【０１３５】＜／Ａ＞タグか否かをチェックする（ステップＳ１４０１）。＜／Ａ＞タグでない場合、他のタグに関する処理を行う（ステップＳ１４０２）。
【０１３６】＜／Ａ＞タグの場合、表示内容リスト４００の最後尾に、構成要素名「リンク」を追加し、＜Ａ＞タグの属性値で指定されているリンク先のＵＲＬを、構成要素内容に書き込む（ステップＳ１４０３）。ＵＲＬをハイパーリンク処理部１０６に出力し、そのＵＲＬの属性を表示内容リスト４００の構成要素属性に書き込ませる（ステップＳ１４０４）。
　
【０１４９】ハイパーリンク処理部１０６は、リンク先属性管理部１０４から受け取った送信時間、サイズ、送信速度およびアクセス回数のすべてが０、すなわち、ハイパーテキストデータ解釈部１０５から受け取ったＵＲＬが、リンク先属性リスト３００に記載されていない場合は、そのＵＲＬのリンク先属性が生成されていないとみなし、そのＵＲＬの表示内容テーブル４００の構成要素属性に、そのＵＲＬだけ書き込む（ステップＳ１６０４）。
　
【０１５３】リンク先属性管理部１０４は、リンク先属性リスト３００を一行読み出す（ステップＳ１７０３）。
【０１５４】ハイパーリンク処理部１０６から受け取ったＵＲＬが、読み出したリンク先属性リストのＵＲＬと一致する場合（ステップＳ１７０４）、そのＵＲＬに対応する、送信時間、データサイズ、送信速度およびアクセス回数の各項目の値を、リンク先属性リスト３００から取り出し、ハイパーリンク処理部１０６に対して出力する（ステップＳ１７０５）。
　
【０１７２】なお、本実施の形態では、視覚的に表現するリンク先の属性として、リンク先のデータの送信速度を用いたが、送信速度以外に、送信時間や、データサイズや、アクセス回数を用いてもよい。また、視覚的に表現する属性を一つに限定する必要はなく、送信速度、送信時間、データサイズおよびアクセス回数について、それぞれ属性値参照テーブルおよび属性表示画像を用意し、複数の属性に関してそれぞれ属性値に対応する属性表示画像を複数使用することにより構成要素画像を生成し、複数の属性を同時に視覚的に表現してもよい。
　
【０１７６】なお、本実施の形態において、データ記憶部に記憶されたデータと同じデータをユーザから要求された場合に、前記データをサーバーから受信せずに、データ記憶部に格納された前記データを取り出すようにしてもよい。
　
【０２７６】（第４の実施の形態）本発明の第４の実施の形態である情報提示装置４１００および情報転送装置５１００を実施の形態に基づいて説明する。
【０２７７】図４５は、本発明の第４の実施の形態である情報提示装置４１００の構成を示すブロック図である。情報提示装置４１００は、ユーザ入力処理部１０１、データ受信部４１０２、受信データ管理部４１０３、リンク先属性受信部４１０４、ハイパーテキストデータ解釈部１０５、ハイパーリンク処理部４１０６、表示画像生成部１０７、ハイパーリンク表示画像生成部１０８、属性表示画像保持部１０９および表示部１１０を備える。なお、上記において、ユーザ入力処理部１０１、受信データ管理部１０３、ハイパーテキストデータ解釈部１０５、表示画像生成部１０７、ハイパーリンク表示画像生成部１０８、属性表示画像保持部１０９および表示部１１０は、第１の実施の形態と異なるところはないので、その説明を省略し、本実施の形態に関連する部分についてのみ説明する。
【０２７８】図４６は、本発明の第４の実施の形態である情報転送装置５１００の構成を示すブロック図である。情報転送装置５１００は、データ転送部５１０１、リンク先属性管理部５１０２を備える。
　
【０３２１】（リンク先属性管理部５１０２の構成の説明）リンク先属性管理部５１０２は、リンク先属性リスト３００を備える。リンク先属性リスト３００には、ＵＲＬと、そのＵＲＬに対応し、そのＵＲＬの属性として、送信時間、サイズ、送信速度、アクセス回数が記述されている。リンク先属性リスト３００は、第１の実施の形態において、情報提示装置１００内のリンク先属性管理部１０４が保持するリンク先属性リスト３００と異なるところはないので、その説明を省略する。
　
【０３６８】また、本発明によれば、あるハイパーテキストを表示する際に、そのハイパーテキストに含まれるハイパーリンクのリンク先のサーバーへのアクセス回数も、ユーザに対して明示的に知らせることができるので、ユーザは、どのサーバーが人気があるかを、実際にそのサーバーにアクセスする前に知ることができる。本発明では、ハイパーリンクのリンク先のサーバーがこれまでに何回アクセスされたかを、情報提示装置または情報転送装置が管理するため、サーバー側でアクセス回数を管理する必要がない。
　
　また、図４６には、情報提示装置４１００と情報転送装置５１００とをネットワークで接続することが示されている。
　
　これらの記載によれば、刊行物１には、次の発明（以下、「刊行物１記載発明」という。）が記載されているものと認められる。 
　
　「ワールドワイドウェブ（ＷＷＷ）上の各サイトに格納されているホームページのようなハイパーテキストを画面上に表示するとき、ハイパーテキストに含まれハイパーリンクのリンク先のデータの属性によりハイパーリンクの表示形態を変える情報提示装置および情報提示装置への転送を行う情報転送装置であって、
　ユーザからのハイパーリンクの指定操作の処理を行うユーザ入力処理手段と、前記ユーザ入力処理手段で指定されたハイパーテキストデータを、ユーザ入力処理部１０１から出力されたＵＲＬで識別されるサーバーに対して、そのＵＲＬが示すハイパーテキストデータを要求し、受信することで、取得するハイパーテキストデータ取得手段と、
　前記ハイパーテキストデータ取得手段により取得されたハイパーテキストデータを解釈して、＜／Ａ＞タグか否かをチェックして、＜／Ａ＞タグの場合、＜Ａ＞タグの属性値で指定されているリンク先のＵＲＬをハイパーリンク処理部１０６に出力し、そのＵＲＬの属性を表示内容リスト４００の構成要素属性に書き込ませるハイパーテキストデータ解釈手段と、
　データ記憶部に記憶されたデータと同じデータをユーザから要求された場合に、前記データをサーバーから受信せずに、データ記憶部に格納された前記データを取り出し、
　ハイパーテキストデータ解釈部１０５から受け取ったＵＲＬが、リンク先属性リスト３００に記載されていない場合は、そのＵＲＬのリンク先属性が生成されていないとみなし、そのＵＲＬの表示内容テーブル４００の構成要素属性に、そのＵＲＬだけ書き込むハイパーリンク処理部１０６と、
　ハイパーリンク処理部１０６から受け取ったＵＲＬが、リンク先属性リスト３００のＵＲＬと一致する場合、そのＵＲＬに対応する、送信時間、データサイズ、送信速度およびアクセス回数の各項目の値を、リンク先属性リスト３００から取り出し、ハイパーリンク処理部１０６に対して出力するリンク先属性管理部１０４と、を備えたハイパーリンクのリンク先のデータの属性を取得するリンク先属性取得手段と、
　ハイパーテキスト解釈手段により解釈されたハイパーテキストから表示内容を生成し、その際に、属性値参照テーブルおよび属性表示画像を用意し、属性値に対応する属性表示画像を使用することにより構成要素画像を生成し、視覚的に表現することで、前記リンク先属性取得手段で取得されたリンク先のデータの属性によりそのハイパーリンクの表示形態を変える表示内容生成手段と、を備え、
　情報提示装置には、ユーザ入力処理部１０１、ハイパーテキストデータ解釈部１０５を備え、情報転送装置のリンク先属性管理部には、リンク先属性リスト３００を備えて、情報提示装置と情報転送装置とをネットワークで接続して、
　あるハイパーテキストを表示する際に、そのハイパーテキストに含まれるハイパーリンクのリンク先のサーバーへのアクセス回数も、ユーザに対して明示的に知らせることができるので、ユーザは、どのサーバーが人気があるかを、実際にそのサーバーにアクセスする前に知ることができ、ハイパーリンクのリンク先のサーバーがこれまでに何回アクセスされたかを、情報提示装置または情報転送装置が管理するため、サーバー側でアクセス回数を管理する必要がない、情報提示装置および情報提示装置への転送を行う情報転送装置」
　
３．対比
　
　本願発明と刊行物１記載発明とを比較すると、刊行物１記載発明の「ワールドワイドウェブ（ＷＷＷ）上の各サイトに格納されているホームページ」は、本願発明の「ウェブ・ページ」に相当する。
　
　また、刊行物１記載発明の「データの属性」は、ハイパーリンクのリンク先の送信時間、データサイズ、送信速度およびアクセス回数の各項目の値であるから、本願発明のハイパーリンクに関する「履歴情報」に相当する。
　
　また、刊行物１記載発明は、「ホームページのようなハイパーテキストを画面上に表示する」から、本願発明の「コンピュータを動作させる方法」を備えている。
　
　また、刊行物１記載発明は、「ユーザからのハイパーリンクの指定操作の処理を行うユーザ入力処理手段と、前記ユーザ入力処理手段で指定されたハイパーテキストデータを、ユーザ入力処理部１０１から出力されたＵＲＬで識別されるサーバーに対して、そのＵＲＬが示すハイパーテキストデータを要求し、受信」するから、本願発明の「ウェブ・ページをダウンロードするためのユーザ命令の受信に応答して、前記ウェブ・ページのダウンロードを開始するステップ」を備えている。
　
　また、刊行物１記載発明は、「ハイパーテキストデータを解釈して、＜／Ａ＞タグか否かをチェックして、＜／Ａ＞タグの場合、＜Ａ＞タグの属性値で指定されているリンク先のＵＲＬをハイパーリンク処理部１０６に出力し、そのＵＲＬの属性を表示内容リスト４００の構成要素属性に書き込ませる」から、本願発明の「ウェブ・ページに含まれるハイパーリンクを識別するステップ」を備えている。
　
　また、刊行物１記載発明の「データ記憶部に記憶されたデータと同じデータをユーザから要求された場合に、前記データをサーバーから受信せずに、データ記憶部に格納された前記データを取り出」すことと、本願発明の「定義済みのアクセス・グループ内のユーザが、前記ステップｂ）で識別されたハイパーリンクにより表される基礎データを前記定義済みのアクセス・グループ内の共有データベースからダウンロード」することとは、「ユーザが、識別されたハイパーリンクにより表される基礎データをデータベースからダウンロード」する点で一致する。
　
　また、刊行物１記載発明は「ハイパーテキストデータ解釈部１０５から受け取ったＵＲＬが、リンク先属性リスト３００に記載されていない場合は、そのＵＲＬのリンク先属性が生成されていないとみなし、そのＵＲＬの表示内容テーブル４００の構成要素属性に、そのＵＲＬだけ書き込む」から、本願発明の「識別されたハイパーリンクを以前に選択したかどうかを判断」する構成を備えている。
　
　また、刊行物１記載発明は「ハイパーリンク処理部１０６から受け取ったＵＲＬが、リンク先属性リスト３００のＵＲＬと一致する場合、そのＵＲＬに対応する、送信時間、データサイズ、送信速度およびアクセス回数の各項目の値を、リンク先属性リスト３００から取り出し、ハイパーリンク処理部１０６に対して出力」して、「ハイパーリンクのリンク先のデータの属性を取得する」から、本願発明の「もし、前記定義済みのアクセス・グループ内のユーザが、前記ハイパーリンクを以前に選択していれば、前記アクセス・グループ内のユーザによる前記ハイパーリンクの以前の選択から得られた前記基礎データの特性を識別するために前記共有データベースを調べ、」ることとは、「もし、ユーザが、ハイパーリンクを以前に選択していれば、ユーザによるハイパーリンクの以前の選択から得られた基礎データの特性を識別するためにデータベースを調べ」る構成を備える点で一致する。
　
　また、刊行物１記載発明は「解釈されたハイパーテキストから表示内容を生成し、その際に、属性値参照テーブルおよび属性表示画像を用意し、属性値に対応する属性表示画像を使用することにより構成要素画像を生成し、視覚的に表現することで、前記リンク先属性取得手段で取得されたリンク先のデータの属性によりそのハイパーリンクの表示形態を変える」から、本願発明の「前記共有データベースを調べることによって識別された特性に基づいて前記ハイパーリンクに対する拡張プレゼンテーション属性を引き出す、ことにより前記ハイパーリンクを分析するステップ」とは、「データベースを調べることによって識別された特性に基づいてハイパーリンクに対する拡張プレゼンテーション属性を引き出す、ことによりハイパーリンクを分析するステップ」を備える点で一致する。
　
　また、刊行物１記載発明は「解釈されたハイパーテキストから表示内容を生成し、その際に、属性値参照テーブルおよび属性表示画像を用意し、属性値に対応する属性表示画像を使用することにより構成要素画像を生成し、視覚的に表現することで、前記リンク先属性取得手段で取得されたリンク先のデータの属性によりそのハイパーリンクの表示形態を変える」から、本願発明の「引き出された拡張プレゼンテーション属性を各々のハイパーリンクに与えて、ダウンロードされたウェブ・ページを表示するステップ」を備えている。　
　したがって、両者の発明の一致点、相違点は以下のとおりである。
　
［一致点］　
　「ウェブ・ページ上に示されたハイパーリンクに関する履歴情報を表示するためにコンピュータを動作させる方法であって、
ａ）ウェブ・ページをダウンロードするためのユーザ命令の受信に応答して、前記ウェブ・ページのダウンロードを開始するステップと、
ｂ）前記ウェブ・ページに含まれるハイパーリンクを識別するステップと、
ｃ）各々の識別されたハイパーリンクについて、
　ユーザが、前記ステップｂ）で識別されたハイパーリンクにより表される基礎データをデータベースからダウンロードし、また、前記識別されたハイパーリンクを以前に選択したかどうかを判断し、
　もし、ユーザが、前記ハイパーリンクを以前に選択していれば、ユーザによる前記ハイパーリンクの以前の選択から得られた前記基礎データの特性を識別するために前記データベースを調べ、
　前記データベースを調べることによって識別された特性に基づいて前記ハイパーリンクに対する拡張プレゼンテーション属性を引き出す、
　ことにより前記ハイパーリンクを分析するステップと、
ｄ）引き出された拡張プレゼンテーション属性を各々のハイパーリンクに与えて、前記ダウンロードされたウェブ・ページを表示するステップと、
　を含む、方法。」である点。
　
［相違点１］
　本願発明においては、データベースが、定義済みのアクセス・グループ内の共有データベースであり、識別されたハイパーリンクを以前に選択したかどうかを判断する対象のユーザが、定義済みのアクセス・グループ内のユーザであるのに対して、刊行物１記載発明においては、そのような記載がない点。
　
［相違点２］
　本願発明においては、ユーザが、前記ステップｂ）で識別されたハイパーリンクにより表される基礎データをデータベースからダウンロードして、前記識別されたハイパーリンクを以前に選択したかどうかを判断しているのに対して、刊行物１記載発明においては、基礎データをデータベースからダウンロードすることと識別されたハイパーリンクを以前に選択したかどうかの判断が関連していない点。
　
４．判断　
　［相違点１］について
　刊行物１には、「大多数のクライアントを内部ネットワークにつなげ、そのうち１台のだけをＷＷＷの広域なネットワークと実際にやり取りを行えるように」し、「内部ネットワークのＷＷＷブラウザからの要求を、この一つの計算機が代理となって、外部の広域なネットワークに対してデータの要求、受信などを行う」「プロクシサーバーとよばれる代理のサーバーを用いる」ことが開示され、刊行物１記載発明は、「あるハイパーテキストを表示する際に、そのハイパーテキストに含まれるハイパーリンクのリンク先のサーバーへのアクセス回数も、ユーザに対して明示的に知らせることができるので、ユーザは、どのサーバーが人気があるかを、実際にそのサーバーにアクセスする前に知ることができ、ハイパーリンクのリンク先のサーバーがこれまでに何回アクセスされたかを、情報提示装置または情報転送装置が管理するため、サーバー側でアクセス回数を管理する必要がない」ものであって、「情報提示装置４１００には、ユーザ入力処理部１０１、ハイパーテキストデータ解釈部１０５を備え、情報転送装置５１００のリンク先属性管理部５１０２には、リンク先属性リスト３００を備えて、情報提示装置４１００と情報転送装置５１００とをネットワークで接続」するから、複数の情報提示装置４１００と情報転送装置５１００とを内部ネットワーク（本願発明の「定義済みのアクセス・グループ」に相当）で接続することが示唆されていると言える。
　
　また、データベースを、定義済みのアクセス・グループ内の共有データベースとし、定義済みのアクセス・グループ内のユーザが識別されたハイパーリンクを以前に選択したかどうかを判断することは、特開平１１−８５６３５号公報（第２頁第２欄第１０行乃至第１６行「提供するデータにリンク先情報が含まれている他のデータについて，そのデータを取得するのに必要な伝送時間情報を通信履歴データベースに保存している通信履歴，または，スループット測定ツールの結果から作成する伝送時間情報作成手段と，前記作成した伝送時間情報を，提供するデータに追加する伝送時間情報追加手段とを備えている。」及び第３頁第４欄第１５行乃至第１９行「また，本発明は，ＷＷＷやネットワーク分散ファイルシステムへの適用が可能であり，特に，本発明をＷＷＷのプロクシサーバへ適用した場合には，他のユーザの通信履歴を流用することが可能で，スループット測定ツールの実行回数を減らすことができる。」）、特開平１０−３０１９５０号公報（第４頁第６欄第１７行乃至第２２行「図３における利用者Ａがインターネット５を介して情報３にアクセスする場合、例えば、その情報３をある時間に参照したかという行動履歴は、プロキシサーバ２を介してインターネット５にアクセスする設定にしておくことで、プロキシサーバ上に蓄積することが可能である。」及び第５頁第５欄第４１行乃至第６頁第１０欄第３１行「このように、各利用者の参照履歴から作られたパスは、パス情報蓄積部１４によりパス情報データベース１８に蓄積される。・・・（中略）・・・各ＵＲＬに対しては、参照の頻度と利用者毎の評価が蓄積される。例えば、パスNo.0001-1 のＵＲＬであるhttp://foo.isl.ntt.co.jp/という情報は、総計２５回参照されており、これに対する各利用者の評価は、１、２、２、３となっている。・・・（中略）・・・このようにして構築された支援情報を用いて、利用者の情報回覧支援を行う。・・・（中略）・・・図３に示すある利用者Ｂが、利用者Ａと同じプロキシサーバ２を介してインターネット５に接続していると仮定する。プロキシサーバ２からは、図８に示すような再利用可能なパス情報が再利用可能パス情報データベース１９からアクセスできる。仮に、利用者Ｂがある情報サーバ３の中の情報を参照したとする・・・（中略）・・・まず、初期状態では、ハイパーリンク情報が埋め込まれているアンカー部に対して、その情報に対する評価点が付与される。利用者は、この評価点を見ながらマウスを移動させ、ハイパーリンク情報が埋め込まれている部分にくると、その階層下にある情報が木構造と共に、別ウィンドウ上に表示される。階層下の情報は、評価点に即して整列表示され、必要であればタイトル情報も付与可能である。利用者はこうして表示された情報を参考にしながら、ブラウザ画面上に表示されている情報からリンクを辿るか、それとも新たに付加された情報からハイパーリンクで繋がっている情報へ直接アクセスするかを自分の意思で決定でき、他の利用者により効果的であると指摘された情報へスムーズにアクセスすることが可能である。」）に示すように周知技術である。
　
　そうすると、刊行物１記載発明において、データベースを、定義済みのアクセス・グループ内の共有データベースとし、定義済みのアクセス・グループ内のユーザが識別されたハイパーリンクを以前に選択したかどうかを判断することは当業者が容易になし得ることである。
　
［相違点２］について
　刊行物１記載発明においても、ハイパーリンクを以前に選択している場合に、データ記憶部に格納されたハイパーリンクのデータを取り出すことができ、また、識別されたハイパーリンクを以前に選択したかどうかを判断することが開示されているのであるから、データ記憶部に格納されたハイパーリンクのデータを取り出すことで、識別されたハイパーリンクを以前に選択したかどうかをも判断することは当業者が適宜になし得ることである。
　
　そして、本願発明の構成を採用することによる作用効果も、刊行物１記載発明及び周知技術から当業者が予測できる範囲のものである。　
　
　したがって、本願発明は、刊行物１記載発明及び周知技術に基づいて、当業者が容易に発明をすることができたものである。
　
第３．むすび
　以上のとおり、本願発明は、刊行物１記載発明及び周知技術に基づいて、当業者が容易に発明をすることができたものであるから、特許法第２９条第２項の規定により特許を受けることができない。
　
　したがって、本願は、その余の請求項について論及するまでもなく、拒絶すべきものである。
　
　よって、結論のとおり審決する。